(57)【要約】【課題】現在の設定が省エネかどうか、どの程度省エネなのかが明確に分かるようにしたリモコンおよびそのリモコンを備えた空気調和機を提供する。【解決手段】室内機と通信するリモコン１において、現在の設定状態を省エネの観点から定められた採点ルールに従って採点する機能を有する採点ボタン５と、採点結果を表示する表示部２と、を備える。【選択図】図１
2013050266.tif 000002
【特許請求の範囲】
【請求項１】
室内機と通信するリモコンにおいて、
現在の設定状態を省エネの観点から定められた採点ルールに従って採点する機能を有する採点ボタンと、
採点結果を表示する表示部と、
を備えたことを特徴とするリモコン。
【請求項２】
前記室内機の停止時にも採点可能であることを特徴とする請求項１記載のリモコン。
【請求項３】
前記表示部は、設定可能な項目と該項目を選択可能なカーソルとを表示し、設定していない項目にカーソルが当たっている場合には、仮に当該項目を設定した場合の試算結果を表示し、または、設定中の項目にカーソルが当たっている場合には、仮に当該項目を解除した場合の試算結果を表示することを特徴とする請求項１または２記載のリモコン。
【請求項４】
前記表示部は、現状設定での採点結果と、どちらか一方の前記試算結果との両方を表示することを特徴とする請求項３記載のリモコン。
【請求項５】
高得点を獲得できる設定へ一度で設定可能にするボタンが設けられていることを特徴とする請求項１または２記載のリモコン。
【請求項６】
設定前後での点数増減の変化量にあわせて前記表示部の画像が変化することを特徴とする請求項１〜５のいずれか一項に記載のリモコン。
【請求項７】
室内機と双方向で通信するリモコンにおいて、
現在の設定状態を省エネの観点から採点する機能を有する採点ボタンと、
採点結果を表示する表示部と、
前記室内機から運転情報を受信し、該運転情報を用いて前記採点結果を補正する補正手段と、
を備えたことを特徴とするリモコン。
【請求項８】
前記運転情報には、少なくとも室内外温湿度、体感温度、床及び天井の温度、部屋の温度ムラ、在室者の有無、人の居場所に関する情報を含むことを特徴とする請求項７記載のリモコン。
【請求項９】
運転前の採点には、直前の停止時に取得した運転情報のうち、利用可能な不変情報のみを利用して前記採点結果を補正することを特徴とする請求項７または８記載のリモコン。
【請求項１０】
点数の履歴が前記表示部で確認可能になっていることを特徴とする請求項１または７記載のリモコン。
【請求項１１】
室内機、請求項１〜１０のいずれか一項に記載のリモコンとを備え、前記リモコンによって前記室内機の省エネ設定が可能になっていることを特徴とする空気調和機。
【発明の詳細な説明】
【技術分野】
【０００１】
本発明は、リモコンおよびそのリモコンを具備する空気調和機に関するものである。
【背景技術】
【０００２】
空気調和機は、多機能化、高機能化しており、その機能を設定したり、使用したりするためのリモートコントロール装置（以下、「リモコン」と略称する。）もまた多ボタン化やメニュー形式化している。
このようなリモコンもしくはリモコンを使用した空気調和機として、次のようなものが開示されている。
【０００３】
例えば、特許文献１では、空気調和装置の運転状況に基づいて省エネルギー率を算出しリモコンに表示する。また、目標省エネルギー率が設定可能（入力手段による変更も可）で、目標を下回った場合に運転を抑制させる。省エネルギー率は、設定温度と室温とに基づいて要求周波数を算出し基準値と比較する方法、室外機のインバータ周波数と基準と比較する方法、電子膨張弁の開度と基準値と比較する方法等が開示されている。
【０００４】
特許文献２では、室内機と遠隔制御装置との間で双方向通信で情報を送受信する空気調和機において、遠隔制御装置に設けられた室内機に情報送信要求するボタンとを備え、ボタンを押下することにより、室内機から情報信号を送信し、遠隔制御装置の表示部に情報を表示する。また、情報信号は、省エネ運転情報、おすすめ運転情報、省エネ運転未実施時の電気代と省エネ運転実施時の電気代との差額電気代等である。省エネ運転情報は実行する／実行しないが選択可能であり、実行すると省エネ運転が設定可能となる。
【先行技術文献】
【特許文献】
【０００５】
【特許文献１】特開２０１０−５４１５３号公報
【特許文献２】特開２０１１−３３２８５号公報
【発明の概要】
【発明が解決しようとする課題】
【０００６】
しかしながら、特許文献１及び特許文献２共に、空気調和機の運転状況に基づいて省エネルギー率や差額電気代を表示するため、空気調和機を動作させなければ情報を得ることができない。そのため、空気調和機の停止時（起動前）に現在の設定が省エネかどうか、またはどれぐらい省エネなのか判断ができないという課題があった。
また、特許文献２では、省エネ運転情報を取得し設定が可能であるが、それがどれぐらい省エネに効いているのか分からないため、ユーザーは設定するかしないかの判断に迷ってしまうという課題があった。
【０００７】
本発明は、上記のような課題を解決するためになされたもので、現在の設定が省エネかどうか、どの程度省エネなのかが明確に分かるようにしたリモコンおよびそのリモコンを備えた空気調和機を提供することを目的とする。
【課題を解決するための手段】
【０００８】
本発明に係るリモコンは、室内機と通信するリモコンにおいて、現在の設定状態を省エネの観点から定められた採点ルールに従って採点する機能を有する採点ボタンと、採点結果を表示する表示部と、を備えたものである。
【発明の効果】
【０００９】
上記の構成によれば、リモコンの設定状態に応じて省エネの観点から採点し、採点結果が表示されるため、空気調和機が停止時（起動前）でも現在の設定が省エネ設定となっているか、どの程度省エネなのかが明確に分かるようになるという効果がある。
【図面の簡単な説明】
【００１０】
【図１】本発明の実施の形態１〜３におけるリモコンの外観図である。
【図２】採点ルールの一例を示す図である。
【図３】リモコンに表示される採点結果の一例を示す図である。
【図４】リモコンに表示される設定画面及び現在の採点に対する設定１設定後の採点の変化の一例を示す図である。
【図５】採点ボタンの機能を説明するフローチャートである。
【図６】実施の形態２におけるリモコンに表示される画面の一例を示す図である。
【図７】実施の形態２におけるリモコンの外観図である。
【図８】実施の形態３における補正ルールの一例を示す図である。
【図９】実施の形態３における採点ボタンの機能を説明するフローチャートである。
【発明を実施するための形態】
【００１１】
以下、本発明の実施の形態を図面に基づいて説明する。
【００１２】
実施の形態１．
図１に、リモコン１の外観図を示す。このリモコン１は、室内機（図示せず）との間で片側通信もしくは双方向通信をするもので、大きく分けて、表示部２、運転ボタン３、各種のボタン群４、採点ボタン５を備えている。
室内機は、ここでは図示を省略しているが、従来と同じようなものであり、前出の特許文献２に示されるような室内機である。室内機は、少なくとも送風機と、冷凍サイクルの一部を構成する熱交換器とを備え、室内空気を吸い込み、熱交換器で空気調和された空気を再び室内に送風する機能を有するものである。該機能はリモコン１によって遠隔制御され、冷房、暖房、除湿、送風、ランドリー等の運転モードのうち所望のモードで運転が行われるようになっている。
【００１３】
表示部２は、例えば液晶画面で構成されており、室内機の運転状態やリモコン１の設定状態、双方向通信のリモコン１では、室内機との送受信により取得した情報、またはその情報を加工した情報等を表示する。なお、表示部２の表示手段は液晶に限られない。
【００１４】
運転ボタン３は、室内機の運転をオン／オフするスイッチである。
【００１５】
ボタン群４は、例えば、メニューボタン４ａ、決定ボタン４ｂ、戻るボタン４ｃ、カーソルを上げる（プラス）ボタン４ｄ、カーソルを下げる（マイナス）ボタン４ｅ、シーンセレクトボタン４ｆ、冷房運転ボタン４ｇ、除湿運転ボタン４ｈ、暖房運転ボタン４ｉを含むものとなっている。このうちメニューボタン４ａ、決定ボタン４ｂ、戻るボタン４ｃ、カーソルを上げる（プラス）ボタン４ｄ、カーソルを下げる（マイナス）ボタン４ｅは、主に外観・操作性を良くするために、一つの円形に組み合わせ配置された複合ボタンとなっている。
【００１６】
採点ボタン５は、これを押下すると、リモコン１の現在の設定状態を省エネの観点から採点する機能を有するものである。
図２には、採点基準となる採点ルール１と２の一例が示されており、この採点ルール１と２はリモコン１に内蔵された制御装置の記憶部（ＲＯＭ）に記憶されている。そして、採点ボタン５を押下すると、制御装置の演算部が採点ルール１と２に従ってリモコン１の現在の設定状態での省エネ値を演算（採点）する。その演算結果（採点結果）は表示部２に表示される。
【００１７】
次に、図５のフローチャートを用いて採点ボタン５の機能を説明する。
【００１８】
リモコン１の採点ボタン５を押下（ステップＳ１０１）すると、リモコン１の現在の設定状態を図２の採点ルール１と２を用いて採点を実施する（ステップＳ１０２）。例えば、冷房設定でセンサー制御２と風速自動の設定をし、設定温度２７℃の場合、基準点（５０点）＋センサー制御２（＋１０点）＋風速自動（＋１０点）＋設定温度２７℃（−１０点）＝６０点となる。この点数が現行の設定状態の点数として図３のように表示される。
【００１９】
一定時間経過（ステップＳ１０３）後、表示部１は図４の画面へ遷移する。図４には設定の変更が可能な項目が並んでおり、現在設定されている設定には「レ」印が表示されている。図５のフローチャートでは、図４の一番上の項目から順に設定状態を判定（ステップＳ１０４）し、もし該当設定項目が設定状態であれば、仮に解除された場合の点数を図２の採点ルール１と２を用いて試算（ステップＳ１０５）する。逆に、該当設定項目が解除状態であれば、仮に設定された場合の点数を図２の採点ルール１と２を用いて試算（ステップＳ１０６）する。図４に表示されている全項目の試算が終っているかチェック（ステップＳ１０７）し、終っていなければ（ステップＳ１０９）、ステップＳ１０４に戻って全項目の試算が終るまで試算を繰り返す。
【００２０】
全項目の試算が終っていれば（ステップＳ１０７）、図４に示すように、ステップＳ１０２で採点した現行の設定状態の点数と、ステップＳ１０５、Ｓ１０６で試算した結果の内、カーソルが当たっている項目（図４では設定１）についての試算結果の両方を画面に表示する（ステップＳ１０８）。
【００２１】
以上のように、この実施の形態１によれば、リモコン１の現状の設定状態に応じて省エネの観点で採点ができるため、空気調和機の停止時（起動前）でも現在の設定が省エネ設定となっているか、どの程度省エネなのかが明確に分かるようになる。また、設定を変更するとどのように点数が変化するのかを表示することで、より省エネ設定となるような設定を簡単に選択、設定することが可能となる。
【００２２】
また、採点ボタン５は、空気調和機の停止時だけに使用を制限されるものではなく、空気調和機が動作中に使用しても良い。
更に、省エネの観点から採点しているが、快適性やそれ以外の観点での採点でも良い。  また、点数表記にしてあるが、点数でなくともレベル表示などの表現方法でも同様の効果が得られる。
また、点数は０点〜１００点満点が分かりやすい方法ではあるが、これに限らず２００点満点や１０００点満点でも良く、更にはマイナスの点数を用いた表現方法でも良い。
【００２３】
図２に示した採点ルールは一例であり、運転モードによって、基準点が異なっていたり、配点が異なっていても良い。また、設定温度だけでなく、設定湿度や、より細かい風速による配点の方法であっても良い。
採点の観点の違いにより、リモコン１で設定できる全ての項目が配点の対象となり得る。
複数の運転モードの採点（冷房、暖房、除湿、送風、ランドリー等の各モードの現在設定状態による採点）結果が見られるようにしても良く、その場合には、例えば、季節によって、どの運転モードを使用すれば良いか迷う場合の助けとなる。
【００２４】
なお、ステップＳ１０３で一定時間経過後に画面遷移するとしているが、再度の採点ボタン５の押下や他のボタンの押下（ボタン群４）によって画面が遷移しても良い。
また、ステップＳ１０４からの一連の動作で全項目を試算してから数値を表示しているが、カーソルが当たっている設定項目のみ試算しその試算結果と現状採点結果を表示するようにしても良い。この場合、カーソルが移動した先の設定項目が、試算が必要な状態（採点ボタン５の押下後始めて選択された場合等）であれば、その時点で試算することとなる。
なお、設定項目の設定状態を変更した場合には現状設定状態が変化したため、ステップＳ１０２から再計算を実施し、現状設定に合わせた点数を表示する。
【００２５】
実施の形態２．
リモコン１の外観は図１に示したとおりである。また、リモコン１の構成及び機能についても実施の形態１と基本的に同じである。この実施の形態２では、採点ボタン５を押すと、図６に示すような画面が表示される点が実施の形態１と相違する。
図６は、リモコン１に表示される画面の一例を示す図である。ここで、図６の画面上の「現設定の点数」は、実施の形態１と同様な方法で算出した結果である。画面の中段より下には、「一括設定」「個別設定」「戻る」の各ボタン２ａ、２ｂ、２ｃが表示されている。画面の中段には一括設定を設定した場合の採点結果が表示されており、画面左上には点数によって表示内容（表現）が変化する画像が表示されている。
【００２６】
「個別設定」ボタン２ｂを押下（（プラス）ボタン４ｄ、（マイナス）ボタン４ｅでカーソルを合わせ決定ボタン４ｂを押下）すると、実施の形態１の図４のような画面に遷移し、各個別の設定を選択、設定することが可能である。
「一括設定」のボタン２ａは、押下することにより、一度で高得点を取得することが可能なボタンであり、例えば、図２の採点ルール１と２を採用しているリモコン１では、冷房時はセンサー制御１、風速自動、不在検知、電流制御を設定し、設定温度を上げるような制御を一度で設定するボタンである。
【００２７】
また、「一括設定」ボタン２ａを押下して、高得点を取得した場合や、「個別設定」ボタン２ｂを押下し、図４のような設定画面で複数設定項目を設定させ、高得点を取得した場合には、画面左上の画像が変化するようにする。例えば、高得点であればあるほど、画像（図６ではブタ）が喜んだり、祝福したような画像が表示され、得点が低ければ低いほど、画像が悲しんだり、怒ったりするような画像が表示される。
【００２８】
このようなボタンを設けることで、複雑な操作をすることなく、高得点を獲得できる設定へ一度で設定可能であり、簡単に、より省エネになる運転へ設定可能である。
また、点数の増減によって画像が変化するため、得点アップ（より省エネ）する楽しさを示すことが可能となり、楽しく省エネができるようになる。
【００２９】
図６では、表示部２にボタン表示をしているが、図７に示すようにハードボタンで一括ボタン６を備え、一括ボタン６の操作で高得点を獲得できる設定へ設定可能としても良い。
また、設定後に高得点を出した場合に画像を変化させているが、現状の設定状態による採点結果によって始めから画像を変化させても良い。
なお、画像は実施の形態１において、図３や図４の画面の下段に表示すると、実施の形態１でも同様の効果が得られる。
【００３０】
実施の形態３．
リモコン１の外観は図１に示したとおりである。また、リモコン１の構成及び機能についても実施の形態１と基本的に同じである。この実施の形態３では、採点結果に対して補正をする点が実施の形態１、２と相違する。図８に補正ルールの一例を示し、図９にこの補正ルールを用い、室内機とリモコン１との間で双方向通信で採点する際の採点ボタンの機能を説明するフローチャートを示す。
【００３１】
図９のフローチャートを用い、採点ボタン５の機能を説明する。
【００３２】
リモコン１の採点ボタン４を押下（ステップＳ１０１’）すると、室内機へ運転情報入手要求を送信すると共に、リモコン１の現在の設定状態を図２の採点ルール１と２を用いて採点を実施する（ステップＳ１０２）。例えば、冷房設定でセンサー制御２と風速自動の設定をし、設定温度２７℃の場合、基準点（５０点）＋センサー制御２（＋１０点）＋風速自動（＋１０点）＋設定温度２７℃（−１０点）＝６０点となる。この点数が現行の設定状態の点数として図３のように表示される。
【００３３】
一定時間経過（ステップＳ１０３）後、表示部１は図４の画面へ遷移する。図４には設定の変更が可能な項目が並んでおり、現在設定されている設定には「レ」印が表示されている。図９のフローチャートでは、図４の一番上の項目から順に設定状態を判定（ステップＳ１０４）し、もし該当設定項目が設定状態であれば、仮に解除された場合の点数を図２の採点ルール１と２を用いて試算（ステップＳ１０５）する。逆に、該当設定項目が解除状態であれば、仮に設定された場合の点数を図２の採点ルール１と２を用いて試算（ステップＳ１０６）する。図４に表示されている全項目の試算が終っているかチェック（ステップＳ１０７）し、終っていなければ（ステップＳ１０９）、ステップＳ１０４に戻って全項目の試算が終るまで試算を繰り返す。
【００３４】
ステップＳ１０７において、全項目の試算が終了していれば、受信が失敗していないか確認（ステップＳ１１０）し、受信失敗でないならば受信完了かを確認（ステップＳ１１２）し、受信完了していなければステップＳ１１０へ戻る。
受信完了していれば、受信内容と図８の補正ルールを用いて補正値を算出（ステップＳ１１３）する。例えば、設定温度と室外温度の差が大きいと、設定温度まで冷す（または暖める）ための電力が大きくなるため減点となり、部屋の窓やドアが空いていると、部屋の空気が外へ逃げてしまうため大きく減点対象となる。また、生活エリア（部屋の中で普段人が生活しているエリア）の情報が小さければ加点、大きければ減点となる。但し、センサー制御の設定によっては、生活エリアの大小が無関係となる場合があり（センサー制御が切れていれば生活エリアの把握ができなくなる等）、その場合には設定によって加減点の量が変化する。
【００３５】
全設定項目について、補正が完了したら、図４に示すように、ステップＳ１０２で採点した現行の設定状態の点数と、ステップＳ１０５、Ｓ１０６で試算した結果をステップＳ１１３で補正したものの内、カーソルが当たっている項目（図４では設定１）についての試算結果の両方を画面に表示する（ステップＳ１１３）。
【００３６】
このようにすることで、リモコン１の現状の設定状態に応じて省エネの観点で採点ができ、且つ、室内機から部屋の状況やユーザーの設定の傾向、現在の人の動作状況の情報を得て採点結果を補正することで、その部屋やユーザーにあう、より省エネとなる設定を促すことが可能となる。
【００３７】
また、設定を変更するとどのように点数が変化するのかを表示することで、より省エネ設定となるような設定を簡単に選択することが可能となる。
更に、省エネの観点から採点しているが、快適性やそれ以外の観点での採点でも良い。
【００３８】
また、ステップＳ１１０で受信失敗した場合には、前回受信した結果のうち利用可能な不変情報（例えば、部屋のレイアウト、部屋の中で主に人が生活するエリア情報等）のみを流用して補正データを作成する（ステップＳ１１１）。すなわち、リアルタイムの情報（室内外温湿度情報等）は無視して補正を実施する。このステップＳ１１０の動作を利用すれば、空気調和機の停止時（起動前）でも同じようにして補正データを作成することが可能となる。なお、起動後や受信失敗後に室内機からの運転情報を受信した場合にはその時点で補正を再実施することも可能である。運転情報には、少なくとも室内外温湿度、体感温度、床及び天井の温度、部屋の温度ムラ、在室者の有無、人の居場所に関する情報を含むものとする。その他には、人の活動量（人が動いているか止まっているか）、人の姿勢情報（足や頭の位置情報）、風向風速情報、平均設定温湿度、燃費情報等がある。また、運転情報入手要求の通信は実施の形態３ではステップＳ１０１’で実施しているが、補正の際に必要であるため、それ以前に情報が入手できれば良い（ステップＳ１０３やＳ１１０への遷移時に実施しても良い）。
【００３９】
図２の採点ルールや図８の補正ルールは一例であり、運転モードによって、基準点が異なっていたり、配点が異なっていても良い。また、設定温度だけでなく、設定湿度や、より細かい風速による配点の方法であっても良い。採点の観点の違いにより、リモコン１で設定できる全ての項目、室内機から得られる全ての情報が配点の対象となり得る。
複数の運転モードの採点（冷房、暖房、除湿、送風、ランドリー等の各モードの現在設定状態による採点）結果が見られるようにしても良く、補正も運転モードによって異なっても良い。その場合には、例えば、季節によって、どの運転モードを使用すれば良いか迷う場合の助けとなる。
【００４０】
なお、ステップＳ１０３で一定時間経過後画面遷移するとしているが、再度の採点ボタン５の押下や他のボタンの押下（ボタン群４）によって画面が遷移しても良い。
また、ステップＳ１０４からの一連の動作で全項目を試算してから数値を表示しているが、カーソルが当たっている設定項目のみ試算しその試算結果と現状採点結果を表示するようにしても良い。この場合、カーソルが移動した先の設定項目が、試算が必要な状態であればその時点で試算することとなる。
なお、設定項目の設定状態を変更した場合には現状設定状態が変化したため、ステップＳ１０２から再計算を実施し、現状設定に合わせた点数を表示する。
【００４１】
更に、ステップＳ１０２での現状採点結果、及びステップＳ１１１やステップＳ１１３での補正データを記憶する手段（図示せず）をリモコン１に設け、採点結果や補正データの履歴を時系列のグラフ表記や運転モード毎の表示、過去の同時期との比較が可能な表示を表示部１に表示することによって、点数の変化を視覚的に確認することが可能となり、より省エネ意識を高めることが可能となる。
また、補正データとその補正による点数の増減の履歴を見せることにより、ユーザー毎にどの辺りを注意して生活すれば（またはリモコン設定を設定すれば）、より高得点（より省エネ）の運転ができるかを知らせることが可能となる。
【符号の説明】
【００４２】
１  リモコン、２  表示部、３  運転ボタン、４  ボタン群、５  採点ボタン、６  一括ボタン。
【図２】
2013050266.tif 000003
【図３】
2013050266.tif 000004
【図４】
2013050266.tif 000005
【図５】
2013050266.tif 000006
【図６】
2013050266.tif 000007
【図８】
2013050266.tif 000008
【図９】
2013050266.tif 000009
【図１】
2013050266.tif 000010
【図７】
2013050266.tif 000011